(57)【要約】【課題】  電磁波遮蔽及び静電気遮蔽機能を有し、強度に優れ、組立容易なネジ止め型配線用モール乃至ＯＡ用モールを提供すること。【解決手段】  本体１とカバー５とから成る薄金属板製（鋼板製）の配線用モールであって、本体１は底板２と底板２の両側の内側に約３０度から６０度の範囲になるように折り曲げられて形成された差込部３とネジ止め部４とを有し、且つネジ止め部４のネジ孔４３付きのネジ止め側部４１の先端部分が底板２に当接するように垂直に折り曲げられた垂直部４２を有し、またカバー５は幅方向の断面形状がアーチ状に整形され、一方の差込端部５１が本体１の差込部３に長さ方向にスライド可能に差込まれ、ネジ用孔５３付きのネジ止め端部５２がネジ７により本体１のネジ止め側部４１にネジ止めされて、内部に中空の収納路６を形成するように、本体１と一体化される。【選択図】        図１
2005065427.tif 000002
【特許請求の範囲】
【請求項１】
本体とカバーとから成る薄金属板製の配線用モールであって、本体は底板と底板の幅方向の一方の内側に底板に対して、約３０度から６０度の範囲になるように折り曲げられ、底板との間に差込部を形成する差込側部と、底板の幅方向の他方の内側に底板に対して、約３０度から６０度の範囲になるように折り曲げられ且つネジ孔が形成されたネジ止め側部と、ネジ止め側部に連結するその先端部分が底板に当接するように垂直に折り曲げられた垂直部を有するネジ止め部とを有し、カバーは幅方向の断面形状がアーチ状に整形され、一方の差込端部が本体の差込部に長さ方向にスライド可能に差込まれ、他方のネジ止め端部に本体のネジ止め側部のネジ孔に対応する位置にネジ用孔が形成されており、ネジにより本体のネジ止め側部にネジ止めされて、内部に中空の収納路を形成するように、本体と一体化されることを特徴とするネジ止め型配線用モール。
【請求項２】
前記金属板が鋼板であることを特徴とする請求項１記載のネジ止め型配線用モール。
【請求項３】
本体の差込側部とネジ止め側部がカバーの幅方向の断面形状に合わせた形状になるように折り曲げられていることを特徴とする請求項１又は請求項２に記載のネジ止め型配線用モール。
【請求項４】
モールの寸法は、底面の幅が約１００ｍｍ、高さが約２０ｍｍ、長さが約５００ｍｍ、又は約７００ｍｍであることを特徴とする請求項１乃至請求項３のいずれか１項に記載のネジ止め型配線用モール。
【請求項５】
モールは、ＯＡ用モールであることを特徴とする請求項１乃至請求項４のいずれか１項に記載のネジ止め型配線用モール。
【発明の詳細な説明】
【技術分野】
【０００１】
本発明は、床面に電線を配線する際に電線を案内保護するための、電磁波遮蔽及び静電気遮蔽機能を有し、強度に優れ、組立容易なネジ止め型配線用モールに関する。
【背景技術】
【０００２】
床面に配線した電線を案内保護する従来の配線ダクトとして、図２（ａ）の断面図に示すように係合凹部２３を有する本体２０と、係合御凹部２３に係合する係合部２４を有し、本体２０の開口部を閉塞するカバー２１とから成り、同図（ｂ）の斜視図に示すように電線１１を内部に収納して案内するように前後方向に長く形成されたものがある（例えば、特許文献１参照。）。
【０００３】
【特許文献１】特開２０００−９２６５０号公報
【発明の開示】
【発明が解決しようとする課題】
【０００４】
しかしこのような形状の配線ダクトは、プラスチック製であって、電磁波遮蔽及び静電気遮蔽機能がなく、また電線（電源線、ＬＡＮケーブルのような通信線等）を収納して床面に配設された配線ダクトの上を、重量物を積んだ台車が一日中何回も通過すると配線ダクトを潰してしまい、さらに収納されている電線をも駄目にしてしまい、このような配線ダクトを設置している店舗、事務室の配線系統、電子機器系統のダウンの原因となっていた。
本発明はこのような点に鑑み、電磁波遮蔽及び静電気遮蔽機能を有し、強度に優れ、組立容易なネジ止め型配線用モール乃至ＯＡ用モールを提供することを目的とする。
【課題を解決するための手段】
【０００５】
上記目的を達成するために、本発明のネジ止め型配線用モールは、本体１とカバー５とから成る薄金属板製であって、本体１は底板２と底板の幅方向の一方の内側に約３０度から６０度の範囲になるように折り曲げられ、底板２との間に差込部３を形成する差込側部３１と底板２の幅方向の他方の内側に約３０度から６０度の範囲になるように折り曲げられ且つネジ孔４３が形成されたネジ止め側部４１とさらにその先端部分が底板２に当接するように垂直に折り曲げられた垂直部４２を有するネジ止め部４とを有し、カバー５は幅方向の断面形状がアーチ状に整形され、一方の差込端部５１が本体１の差込部３に長さ方向にスライド可能に差込まれ、他方のネジ止め端部５２に本体１のネジ止め側部４１のネジ孔４３に対応する位置にネジ用孔５３が形成されており、ネジ７により本体１のネジ止め側部４１にネジ止めされて、内部に中空の収納路６を形成するように、本体１と一体化されることを特徴とする。
【０００６】
また上記において、金属板が鋼板であることを特徴とする。
また上記において、本体１の差込側部３１とネジ止め側部４１がカバー５の形状に合わせてやや弧状になるように折り曲げられていることを特徴とする。
さらに、寸法として、底面の幅が約１００ｍｍ、高さが約２０ｍｍ、長さが約５００ｍｍ、又は約７００ｍｍであることを特徴とする。
さらに配線用モールがＯＡ用モールであることを特徴とする。
【発明の効果】
【０００７】
本発明によれば、モールの形状及び材料からみて、このモールの上を重量物を積んだ台車が通過してもカバーが本体から外れることはなく、従ってモールが潰されることがないので、収納されている電線を重量物から安全に保護することができる。
【発明を実施するための最良の形態】
【０００８】
本発明の実施の形態を実施例にもとづき図面を参照して説明する。
図１は本発明のネジ止め型配線用モールの断面図（ａ）と斜視図（ｂ）である。
１は本体で、底板２と底板の幅方向の一方の内側に約３０度から６０度の範囲になるように折り曲げられ、底板２との間に差込部３を形成する差込側部３１と、底板２の幅方向の他方の内側に約３０度から６０度の範囲になるように折り曲げられ且つネジ孔４３が形成されたネジ止め側部４１と、ネジ止め側部４１に連結しその先端部分が底板２に当接するように垂直に折り曲げられた垂直部４２を有するネジ止め部４とを有する。
【０００９】
５はカバーで、幅方向の断面形状がアーチ状に整形され、一側の端部が本体１の差込部３に長さ方向にスライド可能に差込まれる差込端部５１であり、他側の端部が本体１のネジ止め側部４１のネジ孔４３に対応する位置にネジ７を通すネジ用孔５３が形成されており、ネジ７により本体１のネジ止め側部４１にネジ止めされるネジ止め端部５２である。
【００１０】
本体１にカバー５を取り付ける場合には、電線８を内部の中空の収納路６に収納した状態で、カバー５の一側の差込端部５１を本体１の差込部３に差込み、他側のネジ止め端部部５２を、そのネジ用孔５３を本体１のネジ止め側部４１のネジ孔４３に一致するように位置合わせをし、ネジ用孔５３を通してネジ７をネジ孔４３にねじ込めばよく、容易にカバー５を本体１に取り付け、一体化させることができる。
そして複数の電線を収納する場合でも、電線を噛みこむことがなく、容易に取り付けることができる。
なお本体１の底板２には床面に接着するための剥離紙で被覆された接着剤が施されており、剥離紙を剥いで床面に押圧すれば接着固定できる。
【００１１】
本体１の差込側部３１とジ止め側部４１は単に折り曲げるのではなく、差込側部の３１の内周面とネジ止め側部４１の外周面が、それぞれカバー５の差込端部５１の外周面、ネジ止め端部５２の内周面と面接触するようにカバー５の形状に合わせた形状、即ちアーチ状になるように形成されるのがよい。
これにより電線８の収納路６の内部への塵埃の侵入を少なくするもできる。
そして本体１及びカバー５は、強度を考慮して例えば鋼板のような薄金属板により成形されるが、鋼板には限らない。
【００１２】
カバー５が本体１と一体にされた状態で、このモールの上を重量物を積んだ台車が通過しても潰されないようにするために、カバー５の一側の差込端部５１が本体１の折り返した差込部３から外れないように、本体１の差込側部３１の折り返し角度を約３０度から約６０度の範囲にするのがよく、また本体１のネジ止め側部４１の折り返し角度も差込側部３１の折り返し角度と同様に約３０度から約６０度の範囲にするのがよい。
【００１３】
またそれぞれの折り返し長さも強度を考慮して選定する必要があり、これらをどの程度にするかは収納する電線の寸法に関連して決まるモールの寸法に応じて適宜に選定する必要がある。
【００１４】
モールの寸法としては、収納する電線の寸法に応じて適宜選定することができるが、例えばＬＡＮケーブルの場合は、設置の点からみて、底面の幅が約１００ｍｍ、高さが約２０ｍｍ、長さが約５００ｍｍ、又は約７００ｍｍとするのがよい。
【産業上の利用可能性】
【００１５】
モールの形状が上記のとおりであり、且つ本体１の他側のネジ止め部４に垂直部４２を形成したことにより、またモールの材料が鋼板等の金属板であることにより、このモールの上を重量物を積んだ台車が通過してもカバー５が本体１から外れることはなく（耐荷重１００ｋｇ）、モールが潰されることもないので、収納されている電線８がモールの上を通過する重量物から安全に保護される。
【００１６】
またモールを金属板で形成したので、モール自体に電磁波遮蔽効果があり、これによりモール内部の電線がモールの外部にある電子機器、電線等から発生する電磁波による影響（障害、例えばノイズ）を防止することができ、その逆にモールの外部にある電子機器、電線等がモール内部の電線から発生する電磁波による影響（障害）を防止することができる。
【００１７】
同様にモール自体に静電気遮蔽効果があり、モールの内外で相互に静電気の放電に伴い発生するようなノイズによる障害を防止することができる。
【００１８】
またモールを金属板で形成したので、電磁波遮蔽効果及び静電気遮蔽効果があり、これによりモールの内外の電線、電子機器等の間で相互に影響（障害）を及ぼすことがない。
さらに本体にカバーを取り付けるのが容易であり、複数の電線を収納する場合でも、電線を噛みこむことがなく、容易に取り付けることができる。
【図面の簡単な説明】
【００１９】
【図１】本発明の差込型配線用モールの断面図（ａ）と斜視図（ｂ）。
【図２】従来の配線ダクトの断面図と斜視図。
【符号の説明】
【００２０】
１  本体
２  底板
３  差込部
３１  差込側部
４  ネジ止め部
４１  ネジ止め側部
４２  垂直部
４３  ネジ孔
５  カバー
５１  差込端部
５２  ネジ止め端部
５３  ネジ用孔
６  収納路
７  ネジ
８  電線
【図１】
2005065427.tif 000003
【図２】
2005065427.tif 000004